(57)【要約】【課題】信頼度の高いリーチパターンでの図柄変動パターン演出において、抽選の結果が外れとなっても、当該リーチパターンの信頼度を維持し、次回の同一のリーチパターンの出現時にさらなる当たりの期待感を持たせる。【解決手段】信頼度の高い（３群以上）リーチパターンで外れ抽選の報知を実行した以後１０回の内に再度、同一のリーチパターンでの外れ抽選となったとき、信頼度の低い（２群以下）のリーチパターンに置き換えて報知を実行する。続けて信頼度が高いリーチパターンでの外れ抽選の報知を行うようなことがなく、信頼度を維持できる。信頼度の高い（３群以上）リーチパターンが選択されて、外れ抽選の報知をした以後１０回の内に当たり抽選があったとき、外れ抽選の報知を実行したリーチパターンを強制的に選択し、当たり抽選の報知を行う。当該リーチパターンの信頼度を積極的に回復できる。【選択図】        図４
2004321300.tif 000002
【特許請求の範囲】
【請求項１】
遊技盤上に設けられた始動口への遊技球の入賞を契機に当／外抽選が実行され、当該当／外抽選の結果を図柄変動パターン演出によって報知する図柄変動表示装置を備えた遊技機であって、
複数の図柄変動パターンに含まれる通常変動パターンを記憶する通常パターン記憶手段と、
複数の図柄変動パターンに含まれる前記当／外抽選の結果が当たりになる可能性が高いリーチパターンを、当該リーチパターンの中での当たりの信頼度に応じて複数の群に分類して記憶するリーチパターン記憶手段と、
前記抽選の結果を報知する場合に、前記複数の図柄変動パターンを抽選する図柄抽選手段と、
前記図柄抽選手段で抽選された図柄変動パターンを読み出し、演出を実行する演出実行制御手段と、
当／外抽選の結果が外れとなり、前記図柄抽選手段でリーチパターンが選択された場合に、次の図柄変動パターン演出の機会を初回とした所定回数分を比較対象期間とし、前記比較対象期間内に選択される前記リーチパターンの選択頻度を、当該リーチパターンの前記信頼度に応じて設定された選択頻度と比較する選択頻度比較手段と、
前記選択頻度比較手段での比較の結果、予め設定された選択頻度を上回る場合に、選択されたリーチパターンが属する群よりも信頼度の低いリーチパターン群に属するリーチパターンに置き換える第１の置換手段と、
を有する遊技機。
【請求項２】
前記外れ抽選の結果を報知したリーチパターンを対象とする選択頻度の比較時期の前記比較対象期間内での図柄変動パターン演出の機会に、当／外抽選の結果が当たりとなった場合、選択されたリーチパターンから前記外れ抽選を報知した図柄変動パターンに戻す第２の置換手段をさらに有することを特徴とする請求項１記載の遊技機。
【発明の詳細な説明】
【０００１】
【発明の属する技術分野】
本発明は、遊技盤上に設けられた始動口への遊技球の入賞を契機に当／外抽選が実行され、当該当／外抽選の結果を図柄変動パターン演出によって報知する図柄変動表示装置を備えた遊技機に関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り処理）を持つパチンコ機がある。
【０００３】
この種のパチンコ機では、抽選の結果を遊技者に報知する演出として、パチンコ機のゲージ盤の中央に表示部（通常は液晶表示画面）を設置している。この表示部は、複数の列（例えば３列）の図柄変動パターン画面が構成され（背景画面もある）、この変動する図柄変動パターン演出後に停止したときの図柄の並びで当／外を報知するようになっている。遊技者は、この図柄変動画面を見ることによって、当たりか外れかに一喜一憂するため、期待感を持たせることができる。
【０００４】
ところで、図柄変動パターンには、通常変動パターンに加え、前記３列の図柄の内、２列が当たり図柄で仮停止し、最後の列のみが変動するリーチ状態に演出するリーチパターンが存在する。なお、リーチパターン演出後の報知には、当たりも外れもあるが、少なくとも通常変動パターンよりも遊技者に期待感を持たせることが可能である。リーチパターンは、複数の群に分類され、群単位で当たりの信頼度を設定している。
【０００５】
ここで、特許文献１では、リーチの集中と、リーチの信頼度の向上との相関関係を改善するべく、リーチが集中した場合は、リーチの信頼度を高め、リーチにおける向趣を高めることが開示されている。
【０００６】
すなわち、リーチが集中するのは、リーチを選択するための判定確率が高い場合であり、これは言い換えれば大当たり確率が低いことを意味する。これでは、却ってリーチの信頼度が低くなるため、このような場合は、リーチの信頼度を上げることで、期待感を増加することができる。
【０００７】
【特許文献１】
特開２００２−３５３０６公報
【０００８】
【発明が解決しようとする課題】
しかしながら、特許文献１では、確率上のことであり、リーチの信頼度を挙げたとしても、抽選の結果が外れとなるリーチが続くことがある。この場合、確率的にリーチの信頼度が上がっているとは言え、結果的には、遊技者が感じる当該リーチパターンの信頼性は、さらに低下することになり、遊技意欲が散漫となり、稼働率の低下を招くことになる。
【０００９】
本発明は上記事実を考慮し、信頼度の高いリーチパターンでの図柄変動パターン演出において、抽選の結果が外れとなっても、当該リーチパターンの信頼度を維持し、次回の同一のリーチパターンの出現時にさらなる当たりの期待感を持たせることができる遊技機を得ることが目的である。
【００１０】
【課題を解決するための手段】
請求項１に記載の発明は、遊技盤上に設けられた始動口への遊技球の入賞を契機に当／外抽選が実行され、当該当／外抽選の結果を図柄変動パターン演出によって報知する図柄変動表示装置を備えた遊技機であって、複数の図柄変動パターンに含まれる通常変動パターンを記憶する通常パターン記憶手段と、複数の図柄変動パターンに含まれる前記当／外抽選の結果が当たりになる可能性が高いリーチパターンを、当該リーチパターンの中での当たりの信頼度に応じて複数の群に分類して記憶するリーチパターン記憶手段と、前記抽選の結果を報知する場合に、前記複数の図柄変動パターンを抽選する図柄抽選手段と、前記図柄抽選手段で抽選された図柄変動パターンを読み出し、演出を実行する演出実行制御手段と、当／外抽選の結果が外れとなり、前記図柄抽選手段でリーチパターンが選択された場合に、次の図柄変動パターン演出の機会を初回とした所定回数分を比較対象期間とし、前記比較対象期間内に選択される前記リーチパターンの選択頻度を、当該リーチパターンの前記信頼度に応じて設定された選択頻度と比較する選択頻度比較手段と、前記選択頻度比較手段での比較の結果、予め設定された選択頻度を上回る場合に、選択されたリーチパターンが属する群よりも信頼度の低いリーチパターン群に属するリーチパターンに置き換える第１の置換手段と、を有している。
【００１１】
請求項１記載の発明によれば、図柄抽選手段でリーチパターンが選択されると、図柄変動表示装置では、このリーチパターンを用いて図柄変動パターン演出が実行される。
【００１２】
ここで、この図柄変動パターン演出の結果、すなわち抽選の結果が外れの場合、次の図柄変動パターン演出の機会を初回とした所定回数分を比較対象期間とし、以後同一のリーチパターンの選択頻度を選択頻度比較手段で比較する。
【００１３】
選択頻度比較手段での比較の結果、前記リーチパターンの選択頻度が予め設定した選択頻度を上回る場合、第１の置換手段では、当該リーチパターンが属するリーチパターン群よりも低いリーチパターン群に属するリーチパターンに置き換える。これにより、最初のリーチパターンの信頼度が低下することを回避することができる。
【００１４】
請求項２に記載の発明は、前記請求項１に記載の発明において、前記外れ抽選の結果を報知したリーチパターンを対象とする選択頻度の比較時期の前記比較対象期間内での図柄変動パターン演出の機会に、当／外抽選の結果が当たりとなった場合、選択されたリーチパターンから前記外れ抽選を報知した図柄変動パターンに戻す第２の置換手段をさらに有することを特徴としている。
【００１５】
請求項２に記載の発明によれば、第２の置換手段では、前記外れ抽選の結果を報知したリーチパターンを対象とする選択頻度の比較対象期間内での図柄変動パターン演出の機会に、当／外抽選の結果が当たりとなった場合、選択されたリーチパターンから前記外れ抽選を報知した図柄変動パターンに戻す。
【００１６】
すなわち、外れによって信頼度が低下しないように、短期間での選択を回避するのみならず、積極的に、当たりのときに当該リーチパターンを適用することで、信頼度を回復することができる。
【００１７】
なお、選択頻度とは、予め設定した図柄変動パターン演出の機会数に対する、抽選されたリーチパターンの数であり、例えば、図柄変動パターン演出の機会数を１０回と設定し、この１０回の間に再度外れ抽選のときに同一のリーチパターンが選択された場合は、他のリーチパターン（信頼度が低いリーチパターン群に属する）に置き換える（請求項１）。また、この１０回の間に当たり抽選があった場合には、当該リーチパターンに置き換える（請求項２）。これにより、リーチパターン群の信頼度の相対関係を維持することができる。
【００１８】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００１９】
内枠１４には、複数の表示灯６２、６３やスピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００２０】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２１】
一体皿２６は、その一側部（図１の左辺部）が内枠１４に対して開閉可能に取付けられている。一体皿２６の前面には、左側下部に灰皿２８が配置され、右側下部には発射装置１６４（図３参照）から発射する打球の飛距離を調整するための発射ハンドル３０が設けられている。
【００２２】
また内枠１４の窓部には、遊技盤載置台に載せて交換可能とされた遊技盤３２が窓部に対応して設置されている。
【００２３】
図２に示される如く、遊技盤３２は、外バンド３６及び内バンド３８によって囲まれた略円形状の遊技領域４０が形成されている。
【００２４】
遊技領域４０には、図示しない釘や風車の他、センター役物４２、当該センター役物４２に設けられた特別図柄表示装置４３、並びに大入賞口（変動入賞装置）４４等の役物、始動口４６や通過装置４８、入賞装置４９等の遊技部品が取り付けられており、最下位置にアウト口５４が配置されている。
【００２５】
図３には、パチンコ機１０を制御するための制御系の概略が示されている。制御系は、主制御基板１５０を中心として、払出制御基板１５２、音声制御基板１５４、ランプ制御基板１５６、発射制御基板１５８、図柄表示制御基板１６０等、機能毎に分類されている（なお、以下これらを総称する場合、副制御基板１５１という）。
【００２６】
なお、主制御基板１５０並びに払出制御基板１５２は、管理制御基板１８２を介してパチンコ店側のホールコンピュータ１８４に接続することにより、パチンコ機の稼動状況を管理することも可能となっている。
【００２７】
主制御基板１５０には、遊技に関する基本的なプログラムが記憶されており、この主制御基板１５０からの命令信号に基づいて、その他の副制御基板１５１が独自に実行する。
【００２８】
払出制御基板１５２は、払出賞球装置１６２を制御して、球貸し時の払出し、入賞時の賞球に応じてパチンコ球を払い出すものであり、音声制御基板１５４は、パチンコ機１０に設けられたスピーカ６４、６６からの効果音等の出力を制御する。また、ランプ制御基板１５６は、パチンコ機１０に取り付けられた複数の表示灯６２、６３の点灯・消灯を制御し、発射制御基板１５８は、発射装置１６４を制御して、遊技者によるハンドル３０の操作に応じてパチンコ球を打ち出す。
【００２９】
図柄表示制御基板１６０は、前記特別図柄表示装置４３と接続されており、主制御基板１５０からの命令信号に基づいて、所定の演出効果をもたらす表示を実行する。
【００３０】
前記主制御基板１５０には、始動口４６に設けられた始動入賞センサ１６８、通過装置４８を通過したパチンコ球を検出する通過センサ１７１、入賞装置４９に入賞したパチンコ球を検出する入賞センサ１７２並びに大入賞口４４に入賞したパチンコ球を検出する大入賞口センサ１７３が接続されている。なお、大入賞口４４には、大入賞口の開閉動作を継続するためのＶゾーンが設けられており、このＶゾーンにもＶゾーンセンサ１７７が設けられており、主制御基板１５０に接続されている。
【００３１】
また、この主制御基板１５０には、始動口４６に設けられた電動チューリップ４７を開閉させるためのソレノイド１７４、大入賞口４４を開閉させるためのソレノイド１７５が接続されている。
【００３２】
また、主制御基板１５０では、特別図柄や普通図柄の当／外抽選がなされ、この抽選結果に基づく特別図柄表示装置４３での表示内容（図柄変動パターン）を選択し、図柄表示制御基板１６０へ命令信号を出力する。すなわち、図柄表示制御基板１６０には、複数種の命令信号に基づく異なる表示内容（図柄変動パターン）のデータが予め記憶されており、命令信号に基づいてデータが選択されて、起動するようになっている。また、図柄表示制御基板１６０では、遊技盤３２に設けられる普通図柄表示装置（図示省略）や保留ランプ１８０（図３参照）等も主制御基板１５０によって制御されるようになっている。
【００３３】
特別図柄表示装置４３に表示される図柄変動パターンは、３列の図柄が独立してスクロールし、予め設定された図柄配列（一般には同一図柄）で停止した場合に当たりを報知する。
【００３４】
ここで、パチンコ球が前記始動口４６に入賞し、抽選の結果が当たりとなると、予め設定したラウンド数（例えば、１５ラウンド）の大当たり処理が実行される。この大当たり処理中では、大入賞口４４がほとんど開放状態（１ラウンド約３０秒開放し、一旦閉じた後次ラウンドで同様に開放する。）に制御されるため、この間に、大入賞口４４へのパチンコ球の入賞が容易となり（最大１０球）、遊技者によっては有利な状態ということができる。
【００３５】
ところで、図柄変動パターンには、通常変動パターンに加え、前記３列の図柄の内、２列が当たり図柄で仮停止し、最後の列のみが変動するリーチ状態に演出するリーチパターンが存在する。なお、リーチパターン演出後の報知には、当たりも外れもあるが、少なくとも通常変動パターンよりも遊技者に期待感を持たせることが可能である。
【００３６】
リーチパターンは、複数の群に分類され、群単位で当たりの信頼度を設定している。例えば、当／外抽選の確率が１／３００（通常確率）で、リーチパターンを選択する確率が１／１０のパチンコ機の場合、３００回の図柄変動（以下、３００回転という）の内に、３０回のリーチパターンが選択されることになる。
【００３７】
この３０回のリーチパターンは、群毎に確率が異なっており、表１の如く設定される。
【００３８】
【表１】
2004321300.tif 000003
上記信頼度（☆印）は、以下ように計算できる。すなわち、当たりの振り分けは、それぞれの群に対して均等であるため、１／４となり、平均１２００回の図柄変動パターンで当たりのリーチパターンを１回選択するとすると、各群の選択確率は、表２の如くなる。
【００３９】
【表２】
2004321300.tif 000004
この当たりの選択確率が高い程、信頼度が高いということができ、結果として上記では、第４のリーチパターン群（４群）の信頼度が最も高く、第１のリーチパターン群（１群）の信頼度が最も低くなっている。
【００４０】
このような群毎の分類がなされている状態で、本実施の形態では、３群以上のリーチパターンが選択され、かつ外れ報知であった場合、以後１０回の間に同一のリーチパターンが外れリーチパターンとして選択されたとき、３群未満（２群以下）のリーチパターンと置き換えるようにしている。これは、３群以上のリーチパターンに設定された信頼度を維持し、遊技者の不信感を払拭するためである。
【００４１】
また、上記置換と共に、以後１０回の間に当たり抽選があった場合、置換した３群以上のリーチパターンに戻すことも行っている。これは、３群以上のリーチパターンに設定された信頼度を回復し、積極的に信頼度どおりであることを遊技者に納得させるためである。
【００４２】
図４には、図柄表示制御基板１６０において、上記不信感の払拭のための置換（信頼度低下の回避）、ならびに積極的な信頼度の回復を実行するための制御を機能的に分類した制御ブロック図が示されている。なお、この制御ブロックはブロック毎にデバイスが分かれていることを意味するのではなく、あくまでも機能別に分類したものであり、複数のブロックの機能を単一のデバイスで処理したり、全体をソフト的に処理することも含むものである。
【００４３】
主制御基板１５０（図３参照）から出力される命令信号は、命令信号解析部２００に入力され、当／外信号と変動パターン選択信号とに分類される。
【００４４】
変動パターン選択信号及び当／外信号は、それぞれ変動パターン判別部２０２へ送出され、この変動パターン判別部２０２において、図柄変動パターンの種類を判別する。すなわち、通常パターンの当たり又は外れ、リーチパターン（スーパーリーチ等を含む）に発展する変動パターンの当たり又は外れ等の種類を判別する。
【００４５】
変動パターン判別部２０２は、変動パターン履歴読出部２０４及び変動パターン読出部２０６に接続されており、通常パターンの場合には変動パターン読出部２０６へ読出信号を送出する。
【００４６】
一方、リーチパターンに発展する変動パターンの場合には、変動パターン履歴読出部２０４へ選択頻度判定指示信号を送出する。
【００４７】
変動パターン履歴読出部２０４では、前記選択頻度判定信号の入力をトリガとして、変動パターン履歴管理部２０８から過去１０回分の図柄変動パターンや、置換した経緯等の履歴データを読出し、選択頻度判定部２１０へ送出する。
【００４８】
選択頻度判定部２１０では、上記履歴データに基づいて、主制御基板１５０から送られてきた変動パターンのまま演出を実行するか（維持するか）、或いは置換を行うかを判定する。
【００４９】
選択頻度判定部２１０は、変動パターン読出部２０６及び変動パターン置換部２１２にそれぞれ接続されており、判定の結果が「維持」の場合は変動パターン読出部２０６へ読出信号を送出する。一方、判定の結果が「置換」の場合は変動パターン置換部２１２へ置換信号を送出する。
【００５０】
なお、選択頻度判定部２１０の判定結果は、前記変動パターン履歴管理部２０８へ送出され、履歴データとして記憶される。
【００５１】
変動パターン置換部２１２では、選択頻度判定部２１０から置換信号が入力した場合には、信頼度の低いリーチパターン群（本実施の形態では、２群以下）から別のリーチパターンを選択し、この選択したリーチパターンを読み出すための読出信号を変動パターン読出部２０６へ送出する。
【００５２】
ところで、前記命令信号解析部２００で解析された当／外信号は、置換（回復）判定指示部２１４へ送出されるようになっている。
【００５３】
この置換（回復）判定指示部２１４では、当／外信号が「当たり」を示している場合のみ、判定指示信号を変動パターン履歴読出部２１６へ送出する。この判定指示信号を受けて変動パターン履歴読出部２１６では、前記変動パターン履歴管理部２０８から履歴データを読出し、置換（回復）条件判定部２１８へ送出する。
【００５４】
置換（回復）条件判定部２１８では、信頼度の高い（３群以上）リーチパターンで外れ抽選を報知し、かつそれ以後１０回以内の図柄変動パターン演出機会である場合に条件成立とし、信頼度を回復するべく、当該外れ抽選を報知したリーチパターンによって当たり報知するように条件成立信号を変動パターン置換部２１２へ送出する。
【００５５】
この条件成立信号を受けた変動パターン置換部２１２では、前記外れ抽選を報知した図柄変動パターンを読み出すように変動パターン読出部２０６へ読出信号を送出する。
【００５６】
変動パターン読出部２０６には、上記の如く、３方から読出信号が入力可能となっており、何れかから入力される読出信号に基づく図柄変動パターンを変動パターンメモリ２２０（詳細後述）から読出し、当該変動パターンデータを図柄変動パターン演出実行制御部２２２へ送出する。
【００５７】
これにより、図柄変動パターン演出実行制御部２２２では、特別図柄表示装置４３のドライバ４３Ａを制御して、表示部４３Ｂに図柄変動パターンを表示し、演出を実行する。
【００５８】
なお、変動パターン読出部２０６から図柄変動パターン演出実行制御部２２２へ送出される図柄変動パターンの種類を識別する識別信号は、前記変動パターン履歴管理部２０８へ送出され、履歴データとして記憶される。
【００５９】
図５は、変動パターンメモリ２２０の構成を模式的に示したものである。
【００６０】
図柄変動パターンは、通常パターン群２２４と、第１のリーチパターン群（１群）２２６、第２のリーチパターン群（２群）２２８、第３のリーチパターン群（３群）２３０、第４のリーチパターン群（４群）２３２とにメモリ領域を分類している。
【００６１】
第１乃至第４のリーチパターン群２２６、２２８、２３０、２３２は、それぞれ複数（図５におけるｎは正の整数）の当たりリーチ２３４と、複数の外れリーチ２３６とで構成されており、末尾の数字が同一の当たりリーチ２３４と外れリーチ２３６はほぼ同一のリーチパターンである。
【００６２】
この第１乃至第４のリーチパターン群２２６、２２８、２３０、２３２は、前述の表１及び表２で示した信頼度の関係と相関関係を持っており、第１のリーチパターン群２２６が最も信頼度が低く、第４のリーチパターン群２３２が最も信頼度が高い。
【００６３】
以下に本実施の形態の作用を説明する。
【００６４】
まず、通常遊技の流れを説明する。
【００６５】
遊技者がハンドル３０を把持し、発射のための操作を行なうと、このハンドル操作量（回転量）に応じた強度で、パチンコ球が打ち出される。
【００６６】
パチンコ球が打ち出されると、外バンド３６及び内バンド３８に案内されて盤面３２の釘や風車等（共に図示省略）に当接しながら、予測し得ない移動をしながら落下していく。ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターンを選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００６７】
抽選の結果が当りの場合は、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００６８】
ここで、本実施の形態では、前記図柄変動パターンの内、リーチパターンに予め設定された信頼度を維持するべく、信頼度の高い（本実施の形態では、３群以上）リーチパターン群から選択されたリーチパターンで外れ抽選の報知を実行した場合に、それ以後１０回の間で同一のリーチパターンでの外れ報知を回避するようにしている。
【００６９】
また、前記１０回の間で当たり抽選があった場合、外れ抽選の報知を実行したリーチパターンを強制的に読出し、当該リーチパターンで当たり抽選の報知を実行するようにしている。
【００７０】
以下、図６のフローチャートに従い、リーチパターン信頼度維持制御について説明する。なお、実施の形態の作用の冒頭で説明した遊技の流れと重複する部分を含む。
【００７１】
ステップ２５０では始動口４６への入賞があったか否かが判断され、肯定判定されると、ステップ２５２へ移行して当／外抽選を実行し、ステップ２５４へ移行する。なお、ステップ２５０で否定判定の場合には、このルーチンは終了する。
【００７２】
次のステップ２５４では、前記当／外抽選の結果が当たりか否かが判断され、否定判定されると、ステップ２５６へ移行して外れ変動パターンの図柄抽選が実行され、ステップ２５８へ移行する。
【００７３】
ステップ２５８では、図柄抽選された変動パターンがリーチパターンか否かが判断され、肯定判定されると、ステップ２６０へ移行して、このリーチパターンが信頼度の高い（３群以上）のリーチパターン群に属するか否かが判断される。また、ステップ２５８で否定判定された場合には、通常パターンによる演出であるため、ステップ２６８へ移行して、図柄抽選されたとおりの変動パターンでの演出を実行する。さらに、ステップ２６０で否定判定された場合も、ステップ２６８へ移行して、図柄抽選されたとおりの変動パターンでの演出を実行する。
【００７４】
ステップ２６０で肯定判定された場合には、ステップ２６２へ移行して変動パターン履歴管理部２０８から過去１０回の変動パターン履歴データを読出し、次いでステップ２６４において、選択（図柄抽選）したリーチパターンで１０回以内に外れ抽選の報知を実行したか否かが判断される。
【００７５】
このステップ２６４で、肯定判定されると、１０回という短い期間で信頼度の高いリーチパターンで外れ抽選が続くことによる信頼度の低下を回避するべく、ステップ２６６へ移行して、第２のリーチパターン群（２群）以下のリーチパターンに置き換え、ステップ２６８へ移行して、この置き換えた２群以下のリーチパターンで図柄変動パターン演出を実行する。
【００７６】
また、ステップ２６４で否定判定された場合には、過去１０回以内での外れ報知がないため、信頼度が低下する懸念がないと判断し、ステップ２６８へ移行して図柄抽選されたとおりの変動パターンで演出を実行する。
【００７７】
これにより、信頼度が高いリーチパターン群（３群以上）の本来の信頼度を維持することができる。
【００７８】
一方、前記ステップ２５４で肯定判定されると、ステップ２７０へ移行して、当たり変動パターンの図柄抽選が実行され、ステップ２７２へ移行する。
【００７９】
ステップ２７２では、変動パターン履歴管理部２０８から過去１０回の変動パターン履歴データを読出し、次いでステップ２７４において、第３のリーチパターン群（３群）以上のリーチパターンで外れ抽選の報知の履歴があるか否かが判断される。
【００８０】
この判断の結果、肯定判定されると、ステップ２７６へ移行して、前記外れ図柄抽選された図柄変動パターンを抽選の報知を実行したリーチパターン（３群以上）と同一のリーチパターンに置き換え、ステップ２７８へ移行する。ステップ２７８では、この置き換えられたリーチパターンによって図柄変動パターン演出が実行される。これにより、過去（１０回以内）で信頼度が高いリーチパターンで外れ報知を実行したことによる、信頼度の低下を回復することができる。また、ステップ２７４で否定判定された場合には、過去１０回の内に信頼度の高い（３群以上）リーチパターンでの外れ報知の実行はないと判断し、ステップ２７６を飛び越してステップ２７８で図柄抽選されたとおりの変動パターンで演出を実行する。
【００８１】
以上説明したように本実施の形態では、信頼度の高い（３群以上）リーチパターンが選択されて、外れ抽選の報知を実行した場合に、それ以後１０回の内に再度、同一のリーチパターンでの外れ抽選を行わなければならないとき、信頼度の低い（２群以下）のリーチパターンに置き換えて、報知を実行するようにしたため、続けて信頼度が高いリーチパターンでの外れ抽選の報知を行うようなことがなく、信頼度を維持することができる。
【００８２】
また、信頼度の高い（３群以上）リーチパターンが選択されて、外れ抽選の報知を実行した場合に、それ以後１０回の内に当たり抽選があったとき、外れ抽選の報知を実行したリーチパターンを強制的に選択し、当たり抽選の報知を行うことで、当該リーチパターンの信頼度を積極的に回復させることができる。
【００８３】
なお、本実施の形態では、信頼度の高いリーチパターンを３群以上としたが、リーチパターンの群の数によってこのしきい値は変えてもよい。例えば、リーチパターン群が１０個ある場合には、７群以上のリーチパターンを対象とするように設定してよい。
【００８４】
また、選択頻度は、１０回の内２回同一のリーチパターンで外れ抽選の報知を実行しないようにしたが、この回数についても限定されるものではなく、遊技者の心理的な感覚を設定要素に加え、信頼度が維持できる最適な回数を選択すればよい。
【００８５】
【発明の効果】
以上説明した如く本発明では、信頼度の高いリーチパターンでの図柄変動パターン演出において、抽選の結果が外れとなっても、当該リーチパターンの信頼度を維持し、次回の同一のリーチパターンの出現時にさらなる当たりの期待感を持たせることができるという優れた効果を有する。
【図面の簡単な説明】
【図１】本実施の形態に係るパチンコ機の正面図である。
【図２】本実施の形態に係る遊技機の正面図である。
【図３】本実施の形態に係るパチンコ機における制御系のブロック図である。
【図４】信頼度維持のための図柄変動パターンの置換を主とした図柄表示制御基板における制御ブロック図である。
【図５】変動パターンメモリの構成を模式的に示した展開図である。
【図６】信頼度維持のための図柄変動パターンの置換制御ルーチンを示すフローチャートである。
【符号の説明】
１０    パチンコ機（遊技機）
４３    特別図柄表示装置（図柄変動表示装置）
４６    始動口
１５０    主制御基板（図柄抽選手段）
１５１    副制御基板
１６０    図柄変動制御基板（図柄変動表示装置）
２００    命令信号解析部
２０２    変動パターン判別部
２０４    変動パターン履歴読出部
２０６    変動パターン読出部
２０８    変動パターン履歴管理部
２１０    選択頻度判定部（選択頻度比較手段）
２１２    変動パターン置換部（第１の置換手段、第２の置換手段）
２１４    置換（回復）判定指示部
２１６    変動パターン履歴読出部
２１８    置換（回復）条件判定部
２２０    変動パターンメモリ（通常パターン記憶手段、リーチパターン記憶手段）
２２２    図柄変動パターン演出実行制御部（演出実行制御手段）
２２４    通常パターン群（通常パターン記憶手段）
２２６    第１のリーチパターン群（１群）（リーチパターン記憶手段）
２２８    第２のリーチパターン群（２群）（リーチパターン記憶手段）
２３０    第３のリーチパターン群（３群）（リーチパターン記憶手段）
２３２    第４のリーチパターン群（４群）（リーチパターン記憶手段）
【図１】
2004321300.tif 000005
【図２】
2004321300.tif 000006
【図３】
2004321300.tif 000007
【図４】
2004321300.tif 000008
【図５】
2004321300.tif 000009
【図６】
2004321300.tif 000010